(57)【要約】 石積み壁の水抜き穴開口部用の挿入物１を開示する。この挿入物１は、通気導管３を規定し、第一開口端４と第二開口端５を含む中空体２を含む。ステンレススチールメッシュ網６が、第一開口端４近くの導管３に延び、燃え木類や火花類が中空体２を通過するのを防ぐように適応する。格子７形状の配置部材を、第一開口端４に隣接の中空体２に蝶つがいにより連結する。網６を格子７背後の凹部８に配置し、網６と格子７間の摩擦により網６を凹部８に保持する。格子７は、典型的な山火事で発生する熱流束プロフィールに曝された場合、格子７がその後も網６の配置が継続できるように空間的完全性を保持する材料でできている。格子７は又複数の換気開口部９を有し、空気が通気導管３を通過できる。モルタルガード１０により格子７と解除可能にバネ錠的に連携して換気開口部９を覆い、下塗り時にモルタルが開口部９を塞ぐのを防止する。【選択図】図３
2009526931.tif 000002
【特許請求の範囲】
【請求項１】
石積み壁の水抜き穴開口部用挿入物であり、該水抜き穴挿入物が、
通気導管を規定し、第一開口端と第二開口端を含む中空体と、
前記第一開口端近くの前記導管に延び、燃え木類や火花類が前記中空体を通るのを防ぐように適応した網と、
前記網を前記導管内に配置する配置部材を含み、該配置部材が前記第一開口端に隣接の前記中空体と連結し、所定の熱流束プロフィールに曝された場合、その空間的完全性を実質的に保持し、その後も前記網の配置を維持する材料でできた配置部材と、
を備える挿入物。
【請求項２】
前記所定の熱流束プロフィールが、約３０ｋＷ／ｍ２と約９０ｋＷ／ｍ２間に、ピーク熱流束を含む、請求項１に記載の挿入物。
【請求項３】
前記ピーク熱流束が約６０ｋＷ／ｍ２である、請求項２に記載の挿入物。
【請求項４】
前記ピーク熱流束を約５分までの持続時間適用する、請求項２又は請求項３に記載の挿入物。
【請求項５】
前記ピーク熱流束を約２分の持続時間適用する、請求項４に記載の挿入物。
【請求項６】
前記所定の熱流束プロフィールが、約５ｋＷ／ｍ２と約２０ｋＷ／ｍ２間の導入熱流束を含む、請求項１から請求項５までのいずれかに記載の挿入物。
【請求項７】
前記導入熱流束が約１０ｋＷ／ｍ２である、請求項６に記載の挿入物。
【請求項８】
前記導入熱流束を約２分と約４分間の持続時間適用する、請求項６又は請求項７に記載の挿入物。
【請求項９】
前記所定の熱流束プロフィールが、約５ｋＷ／ｍ２と約２０ｋＷ／ｍ２間の導出熱流束を含む、請求項１から請求項８までのいずれかに記載の挿入物。
【請求項１０】
前記導出熱流束が約１０ｋＷ／ｍ２である、請求項９に記載の挿入物。
【請求項１１】
前記導出熱流束を約２分と約４分間の持続時間適用する、請求項９又は請求項１０に記載の挿入物。
【請求項１２】
前記配置部材を用いて前記網を放射熱から断熱する、請求項１から請求項１１までのいずれかに記載の挿入物。
【請求項１３】
前記配置部材がポリマーでできている、請求項１から請求項１２までのいずれかに記載の挿入物。
【請求項１４】
前記ポリマーがハロゲン含有ポリマーである、請求項１３に記載の挿入物。
【請求項１５】
前記配置部材がポリ塩化ビニルでできた、請求項１４に記載の挿入物。
【請求項１６】
前記配置部材の形成材が自己消火性である、請求項１から請求項１５までのいずれかに記載の挿入物。
【請求項１７】
前記配置部材が、複数の換気開口部を有する格子で、空気が前記通気導管を通過できる、請求項１から請求項１６までのいずれかに記載の挿入物。
【請求項１８】
前記格子が前記中空体と蝶つがいにより連結し、害虫及び／又は昆虫類が前記中空体を通過するのを防ぐ閉鎖位置と、前記中空体内部の検査が可能な開口位置間で可動な、請求項１７に記載の挿入物。
【請求項１９】
前記中空体は、前記格子を前記開口位置に保持するために前記格子により連携可能な突き合わせ面を含む、請求項１８に記載の挿入物。
【請求項２０】
前記格子が前記網配置用の凹部を含む、請求項１７から請求項１９までのいずれかに記載の挿入物。
【請求項２１】
前記網と前記格子間の摩擦により、前記網を前記凹部に保持する、請求項２０に記載の挿入物。
【請求項２２】
前記網が取り外し可能な、請求項１から請求項２１までのいずれかに記載の挿入物。
【請求項２３】
前記網が約２ｍｍｘ２ｍｍ以下のセルを含むメッシュである、請求項１から請求項２２までのいずれかに記載の挿入物。
【請求項２４】
前記セルが約０．４５ｍｍｘ０．４５ｍｍである、請求項２３に記載の挿入物。
【請求項２５】
前記網が熱伝導材料でできた、請求項１から請求項２４までのいずれかに記載の挿入物。
【請求項２６】
前記網が金属でできた、請求項１から請求項２５までのいずれかに記載の挿入物。
【請求項２７】
前記金属がステンレススチールである、請求項２６に記載の挿入物。
【請求項２８】
石積み壁の水抜き穴開口部用挿入物であり、該水抜き穴挿入物が、
通気導管を規定し、第一開口端と第二開口端を含む中空体と、
前記第一開口端に隣接の前記中空体と蝶つがいにより連結し、害虫及び／又は昆虫類が前記中空体を通るのを防ぐ閉鎖位置と、前記中空体内部の検査が可能になる開口位置の間で可動な格子と、
を含み、前記格子が複数の換気開口部を含み、空気が前記通気導管を通過できる、挿入物。
【請求項２９】
前記中空体は、前記格子を前記開口位置に保持するように前記格子により連携可能な突き合わせ面を含む、請求項２８に記載の挿入物。
【請求項３０】
前記格子の内側の前記導管に延び、燃え木類や火花類が前記中空体を通過するのを防ぐように適応する取り外し可能な網を更に含む、請求項２８又は請求項２９に記載の挿入物。
【請求項３１】
前記網が約２ｍｍｘ２ｍｍ以下のセルを含むメッシュである、請求項３０に記載の挿入物。
【請求項３２】
前記セルが約０．４５ｍｍｘ０．４５ｍｍである、請求項３１に記載の挿入物。
【請求項３３】
前記網が熱伝導材料でできた、請求項３０から請求項３２までのいずれかに記載の挿入物。
【請求項３４】
前記網が金属でできた、請求項３０から請求項３２までのいずれかに記載の挿入物。
【請求項３５】
前記金属がステンレススチールである、請求項３４に記載の挿入物。
【請求項３６】
前記網を前記格子の凹部に配置する、請求項３０から請求項３５までのいずれかに記載の挿入物。
【請求項３７】
前記網と前記格子間の摩擦により前記網を前記凹部に保持する、請求項３６に記載の挿入物。
【請求項３８】
前記格子が所定の熱流束プロフィールに曝された場合に、その空間的完全性を実質的に保持し、その後も前記網の配置を維持する材料でできた、請求項３０から請求項３７までのいずれかに記載の挿入物。
【請求項３９】
前記格子を用いて前記網を放射熱から断熱する、請求項３０から請求項３８までのいずれかに記載の挿入物。
【請求項４０】
前記格子がポリマーでできた、請求項２８から請求項３９までのいずれかに記載の挿入物。
【請求項４１】
前記ポリマーがハロゲン含有ポリマーである、請求項４０に記載の挿入物。
【請求項４２】
前記格子がポリ塩化ビニルでできた、請求項４１に記載の挿入物。
【請求項４３】
前記格子の形成材が自己消火性である、請求項２８から請求項４２までのいずれかに記載の挿入物。
【請求項４４】
石積み壁の水抜き穴開口部用挿入物であって、該水抜き穴挿入物が、
通気導管を規定し、第一開口端と第二開口端を含む中空体と、
害虫及び／又は昆虫類が前記中空体を通過するのを防ぐための前記第一開口端に隣接した前記中空体と連結した格子であって、該格子が複数の換気開口部を含み、空気が前記通気導管を通過できる格子と、
下塗り時に前記換気開口部を覆うように前記格子と解除可能に連携したモルタルガードと、
を含む挿入物。
【請求項４５】
更に前記格子の内側で前記導管に延び、燃え木類や火花類が前記中空体を通過するのを防ぐように適応した取り外し可能な網を含む、請求項４４に記載の挿入物。
【請求項４６】
前記網が約２ｍｍｘ２ｍｍ以下のセルを含むメッシュである、請求項４５に記載の挿入物。
【請求項４７】
前記セルが約０．４５ｍｍｘ０．４５ｍｍである、請求項４６に記載の挿入物。
【請求項４８】
前記網が熱伝導材料でできた、請求項４５から請求項４７までのいずれかに記載の挿入物。
【請求項４９】
前記網が金属でできた、請求項４５から請求項４８までのいずれかに記載の挿入物。
【請求項５０】
前記金属がステンレススチールである、請求項４９に記載の挿入物。
【請求項５１】
前記網を前記格子の凹部に配置する、請求項４５から請求項５０までのいずれかに記載の挿入物。
【請求項５２】
前記網と前記格子間の摩擦により前記網を前記凹部に保持する、請求項５１に記載の挿入物。
【請求項５３】
前記格子が前記中空体と蝶つがいにより連結し、害虫及び／又は昆虫類が前記中空体を通過するのを防ぐ閉鎖位置と、前記中空体内部の検査が可能な開口位置間で可動な、請求項４４から請求項５２までのいずれかに記載の挿入物。
【請求項５４】
前記中空体は、前記格子を前記開口位置に保持するために前記格子により連携可能な突き合わせ面を含む、請求項５３に記載の挿入物。
【請求項５５】
前記格子が所定の熱流束プロフィールに曝された場合に、その空間的完全性を実質的に保持し、その後も前記網の配置を維持する材料でできた、請求項４５から請求項５４までのいずれかに記載の挿入物。
【請求項５６】
前記格子を用いて前記網を放射熱から断熱する、請求項４５から請求項５５までのいずれかに記載の挿入物。
【請求項５７】
前記格子がポリマーでできた、請求項４４から請求項５６までのいずれかに記載の挿入物。
【請求項５８】
前記ポリマーがハロゲン含有ポリマーである、請求項５７に記載の挿入物。
【請求項５９】
前記格子がポリ塩化ビニルでできた、請求項５８に記載の挿入物。
【請求項６０】
前記格子の形成材が自己消火性である、請求項４４から請求項５９までのいずれかに記載の挿入物。
【発明の詳細な説明】
【技術分野】
【０００１】
本発明は石積み壁の水抜き穴用挿入物に関し、ここにその用途に関して説明する。しかしこの発明はこの用途には限らず、床下通気口類、擁壁類やティルトアップコンクリート壁にも使用できる。
【背景技術】
【０００２】
中空レンガ又はブロック積み建築では、フラッシング真上のモルタル目地類に水抜き穴開口部を残し、外側石積みと内壁間の壁空洞の換気と排水の両者を可能にする。水抜き穴開口部は、通常隣接レンガ又はブロック間のモルタルを省略して形成する。水抜き穴開口部により、換気排水を提供し乾燥した壁空洞を維持する。十分な換気なしでは、湿気によりカビと腐食が起こり、構造物の寿命を短くする。
【０００３】
水抜き穴開口部の大きさと形状は、職人の技能と配慮と、用いるレンガの種類と仕上げの種類によりかなり変わる。地表面近くに位置する水抜き穴開口部の問題は、一般に開口部が齧歯類や爬虫類の入り口となることである。同様に窓類又は２階付近の水抜き穴開口部の問題は、開口部が昆虫類の入り口を提供する。特に壁空洞に通じる水抜き穴開口部は、ハチ類、刈り蜂類や他昆虫類の理想的な生息地であり、それ自身他の害虫類の食料源を生む。水抜き穴開口部に関連した他の問題は、開口部が特に過度の雨や庭散水器による水の侵入点を提供することである。水抜き穴開口部の別問題は、開口部が火花類や燃え木類の建物への侵入を可能にすることである。
【０００４】
上記の問題の幾つかを解決しようとする多くの方法が周知である。
【０００５】
米国特許４２８２６９１（リスドン（Risdon））には、芯、パイプ及び網キャップを用いる水抜き穴装置が開示されている。米国特許４５８７８９１（クルーズ（Kruse））には管状部材と網掛け底部を組み入れた換気装置が開示されている。英国特許２２３１８８９Ａ（ノックス（Knox））には、空洞壁の受け皿類から排水できるろ過システムが開示されている。
【０００６】
米国特許２７０９４０２（マーン（Mahn））には、一連の平行突起物類を固定手段に用いる壁取り付け換気装置が開示されている。オーストリア意匠登録１３１２９３には、同様の装置が開示されているようである。米国特許５２０３７９５（バラマット等（Balamut et al.））には、固着装置を有する穴あき敷桁と封止ガスケットが開示されている。
【０００７】
米国特許４１０２０９３（ハリス（Harris））には、有孔アルミ板を水抜き穴開口部に押し込んだ後、特別な道具を用いて板を開口部形状に変形することが開示されている。
本出願者の先行オーストリア特許７１３３３５は、その全体の開示をここに文献として組み入れているが、水抜き穴開口部と連携する中空プラスチック本体を含む水抜き穴装置を開示している。取り外し可能なカバーをこの本体の一端上に備えることにより、下塗り中にこの本体がモルタルで詰まるのを防ぐ。下塗り完了後このカバーを外し、耐害虫格子を本体の端の適所にはめ込む。しかし本装置の問題は、下塗りが完了するまで格子を取り付けられず、職人が格子をよく置き違える。
【０００８】
上述のような周知の水抜き穴装置類の問題は、例えば山火事で高温に曝される結果、装置がしばしば機能しなくなることである。水抜き穴装置が発火したり崩壊する結果、又は装置の溶融により不具合が起こり得、燃え木類や火花類が起こり、更には害虫や昆虫類が壁空洞に侵入できる。
【０００９】
周知の水抜き穴装置類の別問題は、壁空洞に容易なアクセスや又は検査が出来ないことである。
【発明の開示】
【００１０】
本発明の目的は、少なくとも好ましい形状では上記の不都合の一つ以上を、実質的に克服するか少なくとも改善することである。
【００１１】
従って第一の様態では、この発明により石積み壁の水抜き穴開口部用挿入物が提供され、該水抜き穴挿入物は、
通気導管を規定し、第一開口端と第二開口端を含む中空体と、
第一開口端近くの導管に延び、燃え木類や火花類が中空体を通るのを防ぐように適応した網と、
網を導管に配置する配置部材を含み、この配置部材が第一開口端に隣接の中空体と連結し、所定の熱流束プロフィールに曝された場合にその空間的完全性を実質的に保持し、その後も網の配置を維持する材料でできている。
【００１２】
より好ましくは、所定の熱流束プロフィールが、山火事で発生するものに特有なものである。
【００１３】
好ましくは、配置部材は放射熱から網を断熱するように適応されている。
【００１４】
好ましくは、配置部材はポリマーでできている。より好ましくは、このポリマーはハロゲン含有ポリマーである。好ましい形状では、配置部材はポリ塩化ビニルでできている。好ましくは、配置部材形成材料は、又自己消火性である。
【００１５】
好ましくは、配置部材は複数の換気開口部を有する格子で、通気導管を通して空気を通過できる。より好ましくは、格子は中空体と蝶つがいにより連結し、害虫及び／又は昆虫類が中空体を通るのを防ぐ閉鎖位置と、中空体内部の検査が可能になる開口位置の間で可動である。中空体は好ましくは、格子を開口位置に保持するように格子により連携できる突き合わせ面を含む。好ましい形状では、格子は網を配置するための凹部を含む。好ましくは網と格子間の摩擦により網を凹部に保持する。
【００１６】
好ましくは、網は取り外し可能である。より好ましくは、網はおおよそ２ｍｍｘ２ｍｍ以下のセルを含むメッシュである。更に好ましくは、セルはおおよそ０．４５ｍｍｘ０．４５ｍｍである。好ましい形状では、網は熱伝導材でできている。好ましくは、網は金属であり、より好ましくはステンレススチールである。
【００１７】
第二の様態では、この発明により石積み壁の水抜き穴開口部用挿入物が提供され、該水抜き穴挿入物は、
通気導管を規定し、第一開口端と第二開口端を含む中空体と、
第一開口端に隣接の中空体と蝶つがいにより連結し、害虫及び／又は昆虫類が中空体を通るのを防ぐ閉鎖位置と、中空体内部の検査が可能になる開口位置の間で可動な格子を含み、この格子が複数の換気開口部を含み、空気が通気導管を通過できる。
【００１８】
中空体は好ましくは、格子を開口位置に保持するように格子と連携可能な突き合わせ面を含む。
【００１９】
好ましくは、水抜き穴挿入物は又格子の内側に導管に延び、燃え木類や火花類が中空体を通過するのを防ぐように適応した取り外し可能な網を含む。より好ましくは、網はおおよそ２ｍｍｘ２ｍｍ以下のセルを含むメッシュである。更に好ましくは、セルはおおよそ０．４５ｍｍｘ０．４５ｍｍである。好ましい形状では、網は熱伝導材でできている。好ましくは、網は金属、より好ましくはステンレススチールでできている。網は好ましくは格子の凹部に配置する。より好ましくは、網と格子間の摩擦により網を凹部に保持する。
【００２０】
好ましい形状では、格子は所定の熱流束プロフィールに曝された場合に、その空間的完全性を実質的に保持し、その後も網の配置を維持する材料でできている。より好ましくは、格子を用いて放射熱から網を断熱する。更により好ましくは、所定の熱流束プロフィールは、山火事で発生するものに特有なものである。
【００２１】
好ましくは、格子はポリマーでできている。より好ましくは、このポリマーはハロゲン含有ポリマーである。好ましい形状では、格子はポリ塩化ビニルでできている。好ましくは、格子形成材料は又自己消火性である。
【００２２】
第三の様態では、この発明により石積み壁の水抜き穴開口部用挿入物が提供され、該水抜き穴挿入物は、
通気導管を規定し、第一開口端と第二開口端を含む中空体と、
害虫及び／又は昆虫類が中空体を通過するのを防ぐ第一開放端に隣接した中空体と連結した格子を含み、この格子が複数の換気開口部を含み、空気が通気導管を通して通過でき、
下塗り時に換気開口部を覆うように格子と解除可能に連携したモルタルガードを含む。
【００２３】
好ましくは、水抜き穴挿入物は又格子の内側で導管に延び、燃え木類や火花類が中空体を通過するのを防ぐように適応した取り外し可能な網を含む。より好ましくは、網はおおよそ２ｍｍｘ２ｍｍ以下のセルを含むメッシュである。更に好ましくは、セルはおおよそ０．４５ｍｍｘ０．４５ｍｍである。好ましい形状では、網は熱伝導材でできている。好ましくは、網は金属、より好ましくはステンレススチールでできている。網は好ましくは格子の凹部に配置する。より好ましくは、網と格子間の摩擦により網を凹部に保持する。
【００２４】
好ましくは、この格子は中空体と蝶つがいにより連結し、害虫及び／又は昆虫類が中空体を通るのを防ぐ閉鎖位置と、中空体内部の検査が可能になる開口位置の間で可動である。中空体は好ましくは、格子を開口位置に保持するように格子と連携できる突き合わせ面を含む。
【００２５】
好ましい形状では、格子は所定の熱流束プロフィールに曝された場合に、その空間的完全性を実質的に保持し、その後も網の配置を維持する材料でできている。より好ましくは、格子を用いて放射熱から網を断熱する。又好ましくは、所定の熱流束プロフィールは、山火事で発生するものに特有なものである。
【００２６】
好ましくは、格子はポリマーでできている。より好ましくは、このポリマーはハロゲン含有ポリマーである。好ましい形状では、この格子はポリ塩化ビニルでできている。又好ましくは、格子形成材料は又自己消火性である。
【発明を実施するための最良の形態】
【００２７】
図面中の図１乃至図４を参照して、石積み壁の水抜き穴開口部用挿入物１を示す。挿入物１は、通気導管３を規定し、第一開口端４と第二開口端５を含む中空体２を含む。ステンレススチールメッシュ網６が、第一開口端４近くの導管３に延び、燃え木類や火花類が中空体２を通るのを防ぎ、燃え木類や火花類の熱を吸収するように適応する。網６は約０．４５ｍｍｘ０．４５ｍｍのセルを含む。格子７形状の配置部材を、蝶つがいにより第一開口端４に隣接の中空体２と連結する。網６は格子７背後の凹部８に配置し、網６と格子７間の摩擦により格子６を凹部８に保持する。格子７は、典型的山火事で発生する熱流束プロフィールに曝された場合に、格子７がその後も網６に位置し続けるように、その空間的完全性を実質的に保持できる材料で形成する。格子７は又複数の換気開口部９を有し、空気が通気導管３を通過できる。
【００２８】
図５に典型的山火事が発生する熱流束プロフィールを示す。本図は又典型的山火事に基づく計画的熱流束プロフィールを示す。計画的熱流束プロフィールの暴露に耐えるように、格子７は自己消火性で難燃剤であるポリ塩化ビニルで成型する。この材料は図５に示す計画的熱流束プロフィールに暴露した場合、燃焼して炭化しやすく、一旦火が通過すると迅速に自己消火する。代替え実施形態では、他のハロゲン含有ポリマー類や架橋ポリマー類のような難燃剤特性を有する他ポリマー類を使用する。
【００２９】
格子７は中空体２と蝶つがいにより連結し、害虫及び／又は昆虫類が中空体２を通るのを防ぐ閉鎖位置と、中空体２内部の検査が可能になる開口位置の間で可動である。格子７が図２示すように開口位置にある場合、殺虫剤や他の処理物類配置用の壁空洞に又アクセスできる。格子７が図１と図４に示すように閉鎖位置の場合には、格子７により格子外側の放射熱から網６を断熱するように、網６を格子７の内側に配置する。又閉鎖位置では、格子７は中空体２の第一開口端４に関して引っ込んでいる。
【００３０】
モルタルガード１０は、格子７と解除可能でバネ錠的に連携して換気開口部９を覆い、下塗り時にモルタルが開口部９を塞ぐのを防ぐ。しかし格子７が引っ込んでいるので、モルタルガード１０外面は中空体２の第一開口端４と同一平面になる。モルタルガードは、ねじ回し又は類似物により連携可能な細長い穴１１を含み、下塗りが完了したときに格子７からの取り外しを容易にする。
【００３１】
中空体２は、石積み壁の水抜き穴開口部内にぴたりと合う大きさである。中空体２は実質的に平らな外面を含み、水抜き穴挿入物１位置の水抜き穴開口部内での調節を容易にする。又アンカー類を省略することにより、挿入物１が無用になった場合、その除去と置き換えを容易にする。中空体２は、又反りに対してその側壁を強化する内部リブ１２を含む。又中空体２は、格子７を開口位置に保持するように格子７により連携可能な突き合わせ面１３を含む。
【００３２】
メッシュ網６とモルタルガード９は、水抜き穴挿入物１に前もって取り付ける。使用に際して、この水抜き穴挿入物１を、壁外側に第一端４が向き、壁空洞に第二端５が向くようにして、壁の水抜き穴開口部に配置する。格子７を開いて、内部リブ１２をラジオペンチ類でつかみ、水抜き穴挿入物１の正確な配置を助けることができる。一旦挿入物１が正確に配置されると、格子７を閉じる。下塗り完了後、モルタルガード１０を格子７から取り外し、換気開口部９を露出する。
【００３３】
図示した水抜き穴挿入物１は、山火事が起こりやすい地域での使用に適することが理解される。水抜き穴挿入物１は、又検査や殺虫剤類や他の処理物類配置用の壁空洞へのアクセスを容易にする。図示挿入物１の一体構造により、又職人が格子をなくすという先行技術の問題を克服する。又挿入物１の平らな外面形状により、職人が挿入物１の位置を水抜き穴開口部で調節するのを容易にし、損傷した水抜き穴挿入物類の除去を容易にする。
【００３４】
この発明を特定の実施形態に関して説明したが、多くの他の形状が又具体化できることが理解される。
【図面の簡単な説明】
【００３５】
本発明の好ましい形状を一例としてのみ付随図面に関して説明する。
【図１】図１はこの発明に記載の、閉鎖位置にあり、適所にモルタルガードを有する格子を示す水抜き穴開口部用挿入物の好ましい実施形態の透視図である。
【図２】図２は開口位置にある格子を示す図１の水抜き穴挿入物の透視図である。
【図３】図３は図１の水抜き穴挿入物の分解透視図である。
【図４】図４は図１の水抜き穴挿入物を貫く縦断面図である。
【図５】図５は山火事や計画的火事の熱流束プロフィールのグラフである。
【図１】
2009526931.tif 000003
【図２】
2009526931.tif 000004
【図３】
2009526931.tif 000005
【図４】
2009526931.tif 000006
【図５】
2009526931.tif 000007
【国際調査報告】
2009526931.tif 000008
2009526931.tif 000009
2009526931.tif 000010
2009526931.tif 000011